(57)【要約】      （修正有）【課題】再度仕上げが不要となる程度に、金属その他の加工面や塗装面等の微小突起や異物等を、ピンポイントで取り除く工具を提供する。【解決手段】直径０．７ｍｍのボールエンドミルを小型直流モーターの回転軸に取り付け、小型直流モーターをスライドテーブルの可動部へ取り付ける。また、スライドテーブルの可動部を圧縮コイルスプリングによりマイクロメーターの測定子に押し付け、マイクロメーターの測定子の動きに合わせてボールエンドミルを移動させる。【選択図】図１
0003143558.tif 000002
【実用新案登録請求の範囲】
【請求項１】
小型モーターの回転軸に、細径のエンドミルを取り付けた切削ユニットに０．０１ｍｍ単位の制御が出来る送り機構を付けた、ピンポイント切削用手動工具。
【考案の詳細な説明】
【技術分野】
【０００１】  本考案は、金属その他の加工面や塗装面等の微小突起や異物等を取り除く際に使用される、作業工具に関する。
【背景技術】
【０００２】  従来、金属その他の加工面や塗装面等の微小突起や異物等を取り除く場合、直径３０ｍｍ位の研磨シート、あるいは艶出しシートにより当該部を削り落としていた。  この場合、微小部分の修正をするために、ある程度の面積を削る事になり、この範囲を、再度仕上げをしなければならない。  このため、修正しない部分との差が出る等の問題が生じる事もある。
【考案の開示】
【考案が解決しようとする課題】
【０００３】  再度仕上げが不要となる程度に、金属その他の加工面や塗装面等の微小突起や異物等を、ピンポイントで取り除くことを目的とした。
【課題を解決するための手段】
【０００４】  本考案においては、直径０．７ｍｍのボールエンドミルを、７ワットの小型直流モーターの回転軸に取付け、モーター本体を小型のスライドテーブルの可動部へ固定し、スライドテーブルの可動部とマイクロメータの測定子を連結する。スライドテーブルの固定部にホルダに取り付ける。
【考案実施の形態】
【０００５】  本考案は、金属その他の加工面や塗装面等の微小突起や異物等を取り除くための作業用具として使用する。
【実施例】
【０００６】  図１において、小型直流モーター（２）の回転軸にカップリング（９）を軸方向は動かず回転のみ伝達するように取り付け、カップリング（９）の、小型直流モーター（２）の回転軸と反対側に、直径０．７ｍｍのボールエンドミル（１）を挿入し、カップリング（９）に固定する。  小型直流モーター（２）は、モーターブラケット（７）を介しスライドテーブル可動部（３ａ）に取り付けられている。これにより、ボールエンドミル（１）はスライドテーブル可動部（３ａ）の動きに合わせて、ガタ無くスムーズにスライド出来る。  又小型直流モーター（２）は、スイッチ（１４）を介してコンセント付き直流電源ユニットへ接続され、一般家庭用電源ＡＣ１００Ｖで使用出来るようになっている。  スライドテーブル固定部（３ｂ）は、ベースプレート（６）を介してホルダ（５）に固定されている。  ベースプレート（６）には、さらにマイクロメータホルダ（１３）が取り付けられ、マイクロメータホルダ（１３）はマイクロメータ（４ａ）を保持している。  スプリング受け（１２ａ）はホルダ（５）に取り付けられ、ボールエンドミル（１）が通過出来る様に穴（１２ｂ）があけられている。  又  スプリング受け（１２ａ）とモーターブラケット（７）の間には、圧縮コイルスプリング（８）がボールエンドミル（１）と同軸上に装着され、モータ―ブラケット（７）を介してスライドテーブル可動部（３ａ）をマイクロメータ測定子（４ｂ）へ押し付けている。  これによりボールエンドミル（１）は、小型直流モーター（２）により回転し、マイクロメータツマミ（４ｃ）を回すことで、ボールエンドミル（１）の軸方向に０．０１ｍｍの単位で動かす事ができる。  ホルダ（５）には、ボールエンドミル（１）の先端側に３箇所等分に脚（１０）が取り付けられ、脚（１０）にはスベリ止め（１１）が固着されている。  図４において、金属プレート（１５）の表面に塗装を施し、塗装膜（１６）を形成させたもので、塗料のカタマリや浮遊する埃等により塗料微小突起（１７）が発生した不具合個所を拡大したものである。  図５において、金属プレート（１５）の表面に塗装を施し、塗装膜（１６）を形成させたもので、塗装中あるいは、塗料が乾く前にゴミ等により異物（１８）が付着した不具合個所を拡大したものである。  図６において、ホルダ（５）を片手で支え、異物（１８）の位置へボールエンドミル（１）の先端を合わせるように、スベリ止め（１１）が固着された脚（１０）を軽く押し付け、スイッチ（１４）をＯＮすると小型直流モーター（２）が回転し、ボールエンドミル（１）を回転させる。  マイクロメータツマミ（４ｃ）を時計方向へ回すことにより、ボールエンドミル（１）を塗装膜（１６）側へ移動させ、異物（１８）を削り落とす。  又、状況に合わせて、又ボールエンドミル（１）の代わりに、先端がヤスリ状で直径が０．７ｍｍ程度のビットや、同じく直径が０．７ｍｍ程度のドリル等を取り付け使用する事も可能であり、カップリング（９）を交換する事で直径０．７ｍｍ以外のサイズを使用する事も出来る。  又、小型のスポットライトや拡大鏡をホルダ（５）に簡単に取り付けられるようにする事で、対照部が明るく大きく見えるようになり、より一層���い安くすることが出来る。
【考案の効果】
【０００７】  本考案は前記の様に、マイクロメータ（４ａ）により、ボールエンドミル（１）の移動量を０．０１ｍｍ単位で制御出来、又ボールエンドミル（１）の直径も０．７ｍｍと細いため異物（１８）のみを削り、周りの正常な部分へ影響を与える事が殆どない。  このため、再仕上げの必要が殆どなくなり、再仕上げによる問題が発生することもなく、最小の工数で不具合個所の修正が可能となる。
【図面の簡単な説明】
【図１】本考案による手動切削工具の側面断面図。
【図２】本考案による手動切削工具の正面図。
【図３】本考案による手動切削工具の平面図。
【図４】金属プレートに塗装を施された塗装膜に塗料のカタマリにより微小突起が発生した不具合を説明する図。
【図５】金属プレートに塗装を施された塗装膜にゴミ等の異物が付着した不具合を説明する図。
【図６】本考案による手動切削工具の使用状態を説明する図。
【符号の説明】
１      ボールエンドミル２      小型直流モーター３ａ    スライドテーブル可動部３ｂ    スライドテーブル固定部４ａ    マイクロメータ４ｂ    マイクロメータ測定子４ｃ    マイクロメータツマミ５      ホルダ６      ベースプレート７      モーターブラケット８      圧縮コイルスプリング９      カップリング１０    脚１１    スベリ止め１２ａ  スプリング受け１２ｂ  穴１３    マイクロメータホルダ１４    スイッチ１５    金属プレート１６    塗装膜１７    塗料微小突起１８    異物
【図１】
0003143558.tif 000003
【図２】
0003143558.tif 000004
【図３】
0003143558.tif 000005
【図４】
0003143558.tif 000006
【図５】
0003143558.tif 000007
【図６】
0003143558.tif 000008
【手続補正書】
【提出日】平成20年4月23日(2008.4.23)
【手続補正１】
【補正対象書類名】実用新案登録請求の範囲
【補正対象項目名】全文
【補正方法】変更
【補正の内容】
【実用新案登録請求の範囲】
【請求項１】
小型モーターの回転軸に、細径のエンドミルを取り付けた切削ユニット、ガタ無く移動させるためのスライドテーブル、マイクロメータ及び、このそれぞれを連結支持すると共に手で持てる様にしたホルダで構成され、マイクロメータのツマミを回すことによる、マイクロメータの測定子の動きにより、スライドテーブルの可動部をスライドさせる事で、微小の送り制御を可能にした、ピンポイント切削用手動工具。